(57)【要約】【課題】せき板の連結に際しての連結作業が容易な型枠におけるせき板の連結構造を提供し、さらにこの連結構造に用いるせき板並びにフォームタイを提供する。【解決手段】角部外面または辺部外面に球面状に窪んだフォームタイ当接面３１が形成された複数個のせき板３が、角部または辺部を相互に突き合わされることにより、突き合わせ部に、各せき板３の前記フォームタイ当接面３１が組み合わされて半球状に窪んだフォームタイ嵌入部４が形成される。コンクリート充填空間２を横切った状態に配置されるセパレータ６と、前記フォームタイ嵌入部４の形状に適合する形状を有するフォームタイ７とが、前記フォームタイ嵌入部４の中心部に形成された貫通部５を介してねじ方式により締結固定されることにより、前記フォームタイ７が前記フォームタイ嵌入部４に嵌入された状態で前記せき板３の各フォームタイ当接面３１に圧接することにより、複数個のせき板３が連結されてなる。【選択図】  図１
2005194827.tif 000002
【特許請求の範囲】
【請求項１】
角部外面または辺部外面に球面状に窪んだフォームタイ当接面が形成された複数個のせき板が、角部または辺部を相互に突き合わされることにより、突き合わせ部に、各せき板の前記フォームタイ当接面が組み合わされて半球状に窪んだフォームタイ嵌入部が形成され、
コンクリート充填空間を横切った状態に配置されるセパレータと、前記フォームタイ嵌入部の形状に適合する形状を有するフォームタイとが、前記フォームタイ嵌入部の中心部に形成された貫通部を介してねじ方式により締結固定されることにより、前記フォームタイが前記フォームタイ嵌入部に嵌入された状態で前記せき板の各フォームタイ当接面に圧接し、複数個のせき板が連結されてなることを特徴とする型枠におけるせき板の連結構造。
【請求項２】
コンクリート充填空間を隔てた両側において、複数個のせき板が連結されてなる請求項１に記載の型枠におけるせき板の連結構造。
【請求項３】
前記せき板には湾曲形状のものが含まれている請求項１または２に記載の型枠におけるせき板の連結構造。
【請求項４】
請求項１ないし３のいずれかに記載の型枠におけるせき板の連結構造に用いられるせき板。
【請求項５】
請求項１ないし３のいずれかに記載の型枠におけるせき板の連結構造に用いられるフォームタイ。
【発明の詳細な説明】
【技術分野】
【０００１】
この発明は、建築工事、土木工事等において、コンクリートを流し込んで構造体の形をつくるための型枠におけるせき板の連結構造に関する。
【背景技術】
【０００２】
従来、上記のような型枠におけるせき板の連結構造としては、種々のものが提案されている。
【０００３】
例えば、下記特許文献１には、せき板の連結構造として、せき板の外周面に凹溝が設けられ、縦横に隣接するせき板同士は、それぞれの凹溝に、同凹溝に嵌まる厚さ及び同凹溝の深さの複数倍の幅寸を有する接合板を差し込み、この接合板を介して相互に突き合わせ連結する連結構造が記載されている。
【特許文献１】特開平２００１−６５０８８号公報
【発明の開示】
【発明が解決しようとする課題】
【０００４】
しかしながら、上記特許文献に記載の連結構造を含め従来のせき板の連結構造は、連結作業が煩雑で、ひいてはコンクリートを流し込むための型枠の形成作業に時間を要するものであった。
【０００５】
しかも、特に湾曲状のコンクリート造躯体を形成するために湾曲状のせき板を連結する必要がある場合には、さらに連結作業が容易でなかった。
【０００６】
この発明は、このような事情に鑑みてなされたものであって、せき板の連結に際しての連結作業が容易な型枠におけるせき板の連結構造を提供し、さらにこの連結構造に用いるせき板並びにフォームタイの提供を課題とする。
【課題を解決するための手段】
【０００７】
この発明に係る型枠におけるせき板の連結構造は、角部外面または辺部外面に球面状に窪んだフォームタイ当接面が形成された複数個のせき板が、隣り合う角部または辺部を相互に突き合わされ、かつ突き合わせ部に、各せき板の前記フォームタイ当接面の組み合わせにより半球状に窪んだフォームタイ嵌入部が形成され、前記フォームタイ嵌入部の中心部を貫通してコンクリート充填空間を横切った状態に配置されるセパレータのねじ付端部が、コンクリート充填空間から外方に突出し、前記フォームタイ嵌入部の形状に適合する形状を有しかつ前記セパレータの端部ねじ部にねじ込まれるねじ孔を有するフォームタイが、前記フォームタイ嵌入部において、そのねじ孔を前記セパレータの端部ねじ部にねじ込まれて、前記せき板の各フォームタイ当接面に圧接し、複数個のせき板が連結されてなることを特徴とする。
【０００８】
この連結構造によれば、複数枚のせき板を突き合わせると、各せき板の角部外面または辺部外面に形成された球面状のフォームタイ当接面が組み合わされて、半球状に窪んだフォームタイ嵌入部が形成される。そして、端部にねじ部が形成されたセパレータが、コンクリート充填空間を横切って配置されるとともに、セパレータのねじ付端部は前記フォームタイ嵌入部の中心部を貫通して外方に突出した状態となされている。
【０００９】
一方、せき板を連結固定するためのフォームタイは、前記フォームタイ嵌入部の形状に適合する形状を有しかつ前記セパレータの端部ねじ部にねじ込まれるねじ孔を有している。そして、前記フォームタイ嵌入部において、フォームタイがそのねじ孔を前記セパレータの端部ねじ部にねじ込まれて、前記せき板の各フォームタイ当接面に圧接し、これにより複数個のせき板が連結されてなる。
【００１０】
このように、せき板の連結作業に際しては、セパレータを所定状態に配置した後、フォームタイのねじ孔を、フォームタイ嵌入部から突出しているセパレータの端部ねじ部にねじ込んでフォームタイ嵌入部を構成する各せき板のフォームタイ当接面に圧接すればよいから、連結作業が簡素化される。しかも、せき板が湾曲状のものであっても、平坦状のせき板の場合と同様に行うことができる。
【００１１】
上記連結構造において、コンクリート充填空間を隔てた反対側にもフォームタイ嵌入部が対向状態に形成され、前記一対のフォームタイ嵌入部の中心をそれぞれ貫通して前記コンクリート充填空間を横切った状態に配置されるセパレータのねじ付両端部が、それぞれコンクリート充填空間から外方に突出し、前記一対のフォームタイ嵌入部において、前記フォームタイがせき板の各フォームタイ当接面に圧接している構成としても良い。
【００１２】
この場合には、コンクリート充填空間を隔てた両側のせき板について、前記連結構造によってせき板が連結される。
【００１３】
また、前記せき板には湾曲形状のものが含まれていても良い。この場合には、湾曲状のせき板を簡単に連結できる。
【００１４】
また、この発明は、上記連結構造に適したせき板、またはフォームタイにも存する。これらのせき板、フォームタイを用いることで、上記連結構造を実現できる。
【発明の効果】
【００１５】
請求項１に係る発明によれば、せき板の連結作業を簡素化でき、ひいては型枠の製作作業を簡素化することができる。
【００１６】
請求項２に係る発明によれば、コンクリート充填空間を隔てた両側のせき板について、前記連結構造によって連結することができる。
【００１７】
請求項３に係る発明によれば、湾曲状のせき板を連結することができ、ひいては各種形状の型枠の製作が可能となり、各種形状のコンクリート構造体を製作することができる。
【００１８】
請求項４または請求項５に係る発明によれば、この発明に係るせき板の連結構造を実現することができる。
【発明を実施するための最良の形態】
【００１９】
図１は、この発明の一実施形態に係る型枠Ａの要部の横断面図である。
【００２０】
図１において、１、１はコンクリート充填空間２を挟んで対向配置された両側のせき板連結体である。各せき板連結体は、図２に示すように、複数個のせき板３がフォームタイ７を介して連結されてなるものである。
【００２１】
各せき板３は、図３及び図４に示すように、所定厚さの長方形状に形成されており、せき板の外側表面（コンクリート充填空間と反対側）の四つの角部には、この角部を中心として球面を１／８等分した形に窪んだフォームタイ当接面３１が形成されている。そして、４個のせき板３を上下左右に突き合わせることにより、図５及び図６に示すように、各せき板３のフォームタイ当接面３１が上下左右に４個組み合わさって、突き合わせ部に半球状に窪んだフォームタイ嵌入部４が形成されるものとなされている。
【００２２】
また、各せき板３の四つの角部には、せき板３の厚さ方向に延びる断面円弧状の切り欠き部３２が形成されている。これらの切り欠き部３２はそれぞれ円形孔を４等分した形態を有しており、４個のせき板３を上下左右に突き合わせた場合に、図５及び図６に示すように、各せき板３の切り欠き部３２が組み合わさって、フォームタイ嵌入部４の中心部にせき板連結体１を厚さ方向に貫通する貫通孔５が形成されるものとなされている。
【００２３】
前記せき板３の材質は特に限定されることはなく、木材、樹脂その他任意の材料を用いれば良い。
【００２４】
図７は、前記せき板３の連結に用いられるセパレータ６及びフォームタイ７を示すものである。
【００２５】
セパレータ６は、断面円形の棒状中実材あるいは中空材からなり、長さ方向の中間部６１はコンクリート充填空間２に横断状態に配置されるものとなされ、長さ方向の両端部６２、６２は、フォームタイ嵌入部４の中心部に形成された前記貫通孔５から外方に突出するものとなされている。また、中間部６１と両端部６２との境界部分には、せき板３の内表面（コンクリート充填空間２側の面）に当接して両側のせき板連結体１の間隔を規制する円形鍔状のストッパ６３が設けられている。さらに、前記セパレータ６の両端部６２には、雄ねじ部６４が形成されている。
【００２６】
一方、前記フォームタイ７は、前記フォームタイ嵌入部４の表面形状に適合する形状を有する球体からなる。かつ、フォームタイ７には、表面から球体中心部に向かって延びたねじ孔７１が設けられ、このねじ孔７１の内周面には雌ねじ部７２が形成されている。ねじ孔７１は貫通孔であっても良いし、底付孔であっても良い。前記雌ねじ部７２は、前記セパレータ６の長さ方向の両端部に形成された前記雄ねじ部６４に螺合するものとなされている。
【００２７】
上記のようなセパレータ６及びフォームタイ７を用いて、せき板３の連結作業を次のようにして行う。
【００２８】
まず、上下左右に隣り合う４枚のせき板３をその角部を突き合わせて配置し、突き合わせ部に半球面状に窪んだフォームタイ嵌入部４を形成する。一方、コンクリート充填空間２を隔てた対向側においても、４枚のせき板３を突き合わせて配置し、突き合わせ部に半球面状に窪んだフォームタイ嵌入部４を形成する。そして、両方のせき板組み合わせ体におけるフォームタイ嵌入部４の中心部に形成された貫通孔５に、コンクリート充填空間２に配置されたセパレータ６の長さ方向の各端部６２、６２を、それぞれ貫通させて外方に突出させる。
【００２９】
次いで、これらの各突出部分の雄ねじ部６４に、フォームタイ７の雌ねじ部７２をねじ込んで締め付ける。この締め付けにより、セパレータ６の２個の鍔状ストッパ６３、６３がそれぞれせき板３の内面に当接して両側のせき板連結体１の間隔（コンクリート充填空間の幅）を規制し、かつ各フォームタイ７が４個のせき板３のフォームタイ当接面３１に圧接する。フォームタイ７の形状は、各フォームタイ当接面３１に適合する球形状となされているから、フォームタイ７が各フォームタイ当接面３１の前面に強固に密着し、せき板３はストッパ６３とフォームタイ７とによって挟圧され、これにより４個のせき板３が連結される。
【００３０】
次に、これら４個のせき板３の残りの角部においても、上記と同様にして４個のせき板３を突き合わせ状態となるように組み合わせながら、セパレータ６にフォームタイ７をねじ込んで固定していく。
【００３１】
こうして、図２に示すように、コンクリート充填空間２の両側において複数のせき板３が複数のフォームタイ７により連結され、型枠Ａが形成される。
【００３２】
なお、こうして連結されたせき板連結体１を補強支持する必要があるときは、図１に示すようにサポート部材８を用いて支持すればよい。このサポート部材８は、図８に示すように、厚さ方向の片面側にフォームタイ７を嵌合できる半球状の凹所８１が形成された四角形状の本体８２の下面に、固定部材８３が接合されてなるものである。そして、前記本体８２の半球状凹所８１を側方からフォームタイ７に外嵌めするとともに、固定部材８３を所定位置に固定して、せき板連結体１を支持するものである。
【００３３】
図９〜図１１は、この発明の他の実施形態を示すものである。
【００３４】
この実施形態では、せき板３が外開き状に湾曲成形されているとともに、せき板３の連結状態で、鍔状ストッパ６３とせき板３の内面との間にゴム等からなる可撓性のパッキン８が介在配置されている。このパッキン８は、鍔状ストッパ６３と湾曲状せき板３の内面との隙間を埋めるためのものである。その他の点は、図１〜図８に示したものと同一であり、同一の構成要素は同一の符号を付して説明は省略する。
【００３５】
この実施形態に係るせき板連結構造においても、球形状のフォームタイ７がフォームタイ嵌入部４に嵌入して各せき板３のフォームタイ当接面３１に密着状態に圧接するから、湾曲形状のせき板３が支障なく連結される。
【００３６】
図１２及び図１３は、この発明のさらに他の実施形態を示すものである。この実施形態では、せき板３の角部ではなく辺部３３の途中に半球面状に窪んだフォームタイ当接面３１を形成したものである。連結に際しては、２個のせき板１の辺部３３同士を突き合わせることにより、突き合わせ部にフォームタイ嵌入部４を形成し、これにフォームタイ７を嵌入状態に圧接せしめることにより行う。
【００３７】
なお、１個のフォームタイ７で連結されるせき板３の個数は、前述した４個あるいは２個に限定されることはなく、図１４及び図１５に示すように、角部にフォームタイ当接面３１を形成した２個のせき板３、３と、辺部に形成した１個のせき板３の３個を１セットにして連結するものとしても良い。また、せき板３の形状を長方形状ではなく三角形状その他の任意の形状にして、それらの突き合わせ部にフォームタイ嵌入部４が形成されるようにして連結しても良い。
【００３８】
また、コンクリート充填空間２の両側において、本実施形態に係る連結構造で連結した場合を示したが、片側のせき板３についてのみ本実施形態に係る連結構造で連結するものとしても良い。
【００３９】
また、セパレータ６の端部に雄ねじ部６４を設け、フォームタイ７に雌ねじ部７２を設けたが、逆でも良い。すなわち、図１６に示すように、セパレータ６の端部にねじ孔６５を設けて雌ねじ部６６を形成し、フォームタイ７側に、せき板突き合わせ部の貫通孔５を貫通して差し込まれる凸部７３を設けてこれに雄ねじ部７４を形成し、フォームタイ７の雄ねじ部７４をセパレータ６の雌ねじ部６６にねじ込んで締め付けることにより、せき板３を連結するものとしても良い。
【００４０】
また、フォームタイ７が球状のものを示したが、球状のものに限定されることはなく、フォームタイ嵌入部４に適合してフォームタイ当接面３１に圧密接触する限りにおいて任意形状を採用可能である。
【図面の簡単な説明】
【００４１】
【図１】この発明の一実施形態に係る連結構造を示す型枠の横断面図である。
【図２】せき板連結体の正面図である。
【図３】せき板の斜視図である。
【図４】せき板の正面図である。
【図５】複数個のせき板を突き合わせた状態の斜視図である。
【図６】図５の突き合わせ状態の正面図である。
【図７】セパレータとフォームタイを分離して示す斜視図である。
【図８】サポート部材の斜視図である。
【図９】この発明の他の実施形態を示すもので、複数個のせき板を突き合わせた状態の斜視図である。
【図１０】図９のせき板連結体を用いた型枠の横断面図である。
【図１１】図９の型枠に用いられているセパレータとフォームタイを分離して示す斜視図である。
【図１２】この発明のさらに他の実施形態を示すもので、複数個のせき板を突き合わせた状態の斜視図である。
【図１３】図１２の突き合わせ状態の正面図である。
【図１４】この発明のさらに他の実施形態を示すもので、複数個のせき板を突き合わせた状態の斜視図である。
【図１５】図１４の突き合わせ状態の正面図である。
【図１６】この発明のさらに他の実施形態を示すもので、セパレータとフォームタイを分離して示す斜視図である。
【符号の説明】
【００４２】
Ａ    型枠
１    せき板連結体
２    コンクリート充填空間
３    せき板
４    フォームタイ嵌入部
５    貫通孔
６    セパレータ
７    フォームタイ
８    サポート部材
３１  フォームタイ当接面
６１  中間部
６２  両端部
６３  ストッパ
６４  雄ねじ部
６５  ねじ孔
６６  雌ねじ部
７１  ねじ孔
７２  雌ねじ部
７３  凸部
７４  雄ねじ部
【図１】
2005194827.tif 000003
【図２】
2005194827.tif 000004
【図３】
2005194827.tif 000005
【図４】
2005194827.tif 000006
【図５】
2005194827.tif 000007
【図６】
2005194827.tif 000008
【図７】
2005194827.tif 000009
【図８】
2005194827.tif 000010
【図９】
2005194827.tif 000011
【図１０】
2005194827.tif 000012
【図１１】
2005194827.tif 000013
【図１２】
2005194827.tif 000014
【図１３】
2005194827.tif 000015
【図１４】
2005194827.tif 000016
【図１５】
2005194827.tif 000017
【図１６】
2005194827.tif 000018